(57)【要約】【課題】排紙した印刷用紙を容易に取り出すことができるとともに省スペースを図る。【解決手段】プリンタ６の上部の用紙排出口から排出された印刷用紙を用紙搬送トレイ８によりプリンタ６の側方に送り出す。水平方向に送り出された印刷用紙を通路ユニット９で下向きに案内して通紙し、通路ユニット９から送られた印刷用紙の移動方向を側面垂直排紙ユニット１０で振り分けて垂直用紙収納ユニット１１の複数の収納領域３６ａ，３６ｂのいずれかに収納する。この各収納領域３６ａ，３６ｂに収納された印刷用紙をプリンタ６の前面側の面に設けられた用紙取出口３３から取り出す。【選択図】　　図１
2004043130.tif 000002
【特許請求の範囲】
【請求項１】
用紙搬送トレイと通路ユニットと側面垂直排紙ユニット及び垂直用紙収納ユニットを有し、
用紙搬送トレイは、画像形成装置の上部に配置され、画像形成装置の用紙排出部から排出された印刷用紙を画像形成装置の側方に搬送し、通路ユニットは用紙搬送トレイに連結され、用紙搬送トレイで搬送された印刷用紙を下向きに案内して通紙し、側面垂直排紙ユニットは通路ユニットに連結され、通路ユニットから送られた印刷用紙の移動方向を振分け、垂直用紙収納ユニットは側面垂直排紙ユニットに連結され、側面垂直排紙ユニットで振り分けた印刷用紙を収納する複数の収納領域と、各収納領域の画像形成装置の前面側の面に設けられた用紙取出口を有することを特徴とする排紙装置。
【請求項２】
前記用紙搬送トレイは用紙搬送手段とガイド部を有し、
用紙搬送手段は一定間隔をおいて配置された搬送ベルトと、搬送ベルトの外周面に印刷用紙サイズに応じた間隔をおいて設けられた押出突起を有し、ガイド部は２組の搬送ベルトより画像形成装置の用紙排出部側にそれぞれ設けられ、用紙排出部側から搬送ベルト側に緩やかな昇りの傾斜面を有し、用紙排出部から排出される印刷用紙を搬送ベルトの上部に誘導する請求項１記載の排紙装置。
【請求項３】
前記通路ユニットは、内部に長方形断面の空洞を有し、円弧状に曲がって形成され、水平部の先端に用紙導入口を有し、内部の内周面と外周面には、印刷用紙の左右のブレを防止する複数のブレ防止突条が印刷用紙の送り方向に沿って設けられ、外周面に設けたブレ防止突条の用紙導入口の下端部に対応する位置には、水平方向に送られた印刷用紙を下向きに案内する誘導突起を有する請求項１又は２に記載の排紙装置。
【請求項４】
前記側面垂直排紙ユニットは、振分ガイドと振分駆動部を有し、振分ガイドは、下側の幅が狭い中空の台形形状に形成され、上端部には用紙導入口を有し、下部には用紙案内口を有し、両側面の上部に駆動伝達軸が設けられ、振分駆動部は振分ガイドを一定角度回動して送られた印刷用紙の移動方向を振分ける請求項１乃至３のいずれかに記載の排紙装置。
【請求項５】
前記垂直用紙収納ユニットは、前面に印刷用紙を取り出す用紙取出口を有し、内部には複数区画に区分けされた収納領域を有し、各収納領域内部底面は水平面に対して一定角度傾けて形成されている請求項１乃至４のいずれかに記載の排紙装置。
【請求項６】
前記垂直用紙収納ユニットの収納領域を区分けする仕切板に、印刷用紙を一定角度傾けて誘導する案内突起を有する請求項５記載の排紙装置。
【請求項７】
前記通路ユニットと側面垂直排紙ユニットの連結部及び側面垂直排紙ユニットと垂直用紙収納ユニットの連結部はそれぞれ着脱自在に構成され、垂直用紙収納ユニットの上面にはＯＡラック又はＯＡラックに設けたボードに対する取付部を有し、ＯＡラック又はボードに取付けた垂直用紙収納ユニットに側面垂直排紙ユニットと通路ユニットを順次連結する請求項１乃至６のいずれかに記載の排紙装置。
【請求項８】
前記通路ユニットと側面垂直排紙ユニットの間に中間通路ユニットを設けた請求項７記載の排紙装置。
【請求項９】
請求項１乃至８のいずれかに記載の排紙装置を有することを特徴とする画像形成装置。
【発明の詳細な説明】
【０００１】
【発明の属する技術分野】
この発明は、複写機やプリンタ装置，ファクシミリ装置等で画像が形成された印刷用紙等を排出する排紙装置及びそれを使用した画像形成装置、特に印刷用紙の仕分けと取り出しの容易化に関するものである。
【０００２】
【従来の技術】
パソコン等のホスト機器と関連機器を省スペースで配置するために２段または３段に構成されたＯＡラックが使用されている。このＯＡラックの下段には通常パソコン本体とモニタを配置し、上段にプリンタを配置する。このようにＯＡラックの上段にプリンタを配置すると、椅子に座ってパソコンを操作している操作者にとってプリンタが高い位置にあるため、印刷用紙を給紙トレイにセットしたり、現像装置の現像剤等を交換したり、画像を形成した排紙した印刷用紙を取り出したりするとき立ち上がらなければできなかった。特に排紙した印刷用紙の取り出しは比較的頻度が多く、そのたびに操作者は立ち上がらなければならず、使い勝手が悪かった。
【０００３】
この使い勝手の悪さを解消するために、例えば特開平８−１５１１５６号公報に示すように、プリンタの後部の排出部に排紙した印刷用紙を下方に案内し、さらにプリンタの下部の正面方向に反転する反転部と、この反転部に連設して正面方向に向かって下方に傾斜した用紙積載部を設け、プリンタで画像を形成した印刷用紙を反転部を通して用紙積載部に積載するようにしている。
【０００４】
また、実開平６−５３５５６号公報に示された排紙トレイは、例えばファクシミリ装置等の排紙部に下方に傾斜した排紙トレイを設け、この排紙トレイの背面板部の上部前面側に揺動自在な突出片を設け、印刷用紙を排紙トレイに排紙するとき、先に排紙した印刷用紙の上端部を突出片で覆って印刷用紙を順番に排紙するようにしている。
【０００５】
【発明が解決しようとする課題】
特開平８−１５１１５６号公報に示すようにＯＡラックの下段に配置したパソコンと、上段に配置したプリンタの間に用紙積載部を設けると、ＯＡラックの下段と上段の間隔を大きくする必要があり、ＯＡラックが大型化してしまう。また、実開平６−５３５５６号公報に示された排紙トレイは、ファクシミリ装置等の排紙部に直接連結しているため複数の排紙トレイを設けることは困難である。
【０００６】
この発明はかかる短所を改善し、排紙した印刷用紙を容易に取り出すことができるとともに省スペースを図ることができる排紙装置とそれを使用した画像形成装置を提供することを目的とするものである。
【０００７】
【課題を解決するための手段】
この発明に係る排紙装置は、用紙搬送トレイと通路ユニットと側面垂直排紙ユニット及び垂直用紙収納ユニットを有し、用紙搬送トレイは、画像形成装置の上部に配置され、画像形成装置の用紙排出部から排出された印刷用紙を画像形成装置の側方に搬送し、通路ユニットは用紙搬送トレイに連結され、用紙搬送トレイで搬送された印刷用紙を下向きに案内して通紙し、側面垂直排紙ユニットは通路ユニットに連結され、通路ユニットから送られた印刷用紙の移動方向を振分け、垂直用紙収納ユニットは側面垂直排紙ユニットに連結され、側面垂直排紙ユニットで振り分けた印刷用紙を収納する複数の収納領域と、各収納領域の画像形成装置の前面側の面に設けられた用紙取出口を有することを特徴とする。
【０００８】
前記用紙搬送トレイは用紙搬送手段とガイド部を有し、用紙搬送手段は一定間隔をおいて配置された搬送ベルトと、搬送ベルトの外周面に印刷用紙サイズに応じた間隔をおいて設けられた押出突起を有し、ガイド部は２組の搬送ベルトより画像形成装置の用紙排出部側にそれぞれ設けられ、用紙排出部側から搬送ベルト側に緩やかな昇りの傾斜面を有し、用紙排出部から排出される印刷用紙を搬送ベルトの上部に誘導する。
【０００９】
前記通路ユニットは、内部に長方形断面の空洞を有し、円弧状に曲がって形成され、水平部の先端に用紙導入口を有し、内部の内周面と外周面には、印刷用紙の左右のブレを防止する複数のブレ防止突条が印刷用紙の送り方向に沿って設けられ、外周面に設けたブレ防止突条の用紙導入口の下端部に対応する位置には、水平方向に送られた印刷用紙を下向きに案内する誘導突起を有する。
【００１０】
前記側面垂直排紙ユニットは、振分ガイドと振分駆動部を有し、振分ガイドは、下側の幅が狭い中空の台形形状に形成され、上端部には用紙導入口を有し、下部には用紙案内口を有し、両側面の上部に駆動伝達軸が設けられ、振分駆動部は振分ガイドを一定角度回動して送られた印刷用紙の移動方向を振分ける。
【００１１】
前記垂直用紙収納ユニットは、前面に印刷用紙を取り出す用紙取出口を有し、内部には複数区画に区分けされた収納領域を有し、各収納領域内部底面は水平面に対して一定角度傾けて形成されている。この垂直用紙収納ユニットの収納領域を区分けする仕切板に、印刷用紙を一定角度傾けて誘導する案内突起を有することが望ましい。
【００１２】
また、通路ユニットと側面垂直排紙ユニットの連結部及び側面垂直排紙ユニットと垂直用紙収納ユニットの連結部はそれぞれ着脱自在に構成され、垂直用紙収納ユニットの上面にはＯＡラック又はＯＡラックに設けたボードに対する取付部を有し、ＯＡラック又はボードに取付けた垂直用紙収納ユニットに側面垂直排紙ユニットと通路ユニットを順次連結すると良い。さらに、通路ユニットと側面垂直排紙ユニットの間に中間通路ユニットを設けても良い。
【００１３】
この発明の画像形成装置は、前記排紙装置を有することを特徴とする。
【００１４】
【発明の実施の形態】
図１はこの発明のＯＡユニットの構成図であリ、（ａ）は正面図、（ｂ）は側面図である。図に示すように、ＯＡユニット１は、ＯＡラック２の下段に配置されたパソコン３とモニタ４と、ＯＡラック２の上段にボード５を介して配置されたプリンタ６と、プリンタ６の上部からＯＡラック２の側方にわたって配置された排紙装置７を有する。排紙装置７はプリンタ６の上部に配置された用紙搬送トレイ８と、用紙搬送トレイ８に連結された通路ユニット９と、通路ユニット９に連結された側面垂直排紙ユニット１０と、側面垂直排紙ユニット１０に連結された垂直用紙収納ユニット１１を有する。
【００１５】
用紙搬送トレイ８は、図２の斜視図に示すように、プリンタ６の用紙排出口１２から排出された印刷用紙を案内するガイド部１３と、ガイド部１３に排出された印刷用紙を搬送する用紙搬送手段１４を有する。用紙搬送手段１４は、一定間隔をおいて配置された搬送ベルト１５を有する。搬送ベルト１５は、図３の構成図に示すように、例えばタイミングベルトからなり駆動ホイール１６と従動ホイール１７に巻き回されている。駆動ホイール１６の駆動伝達軸には、搬送モータ１８の駆動軸に設けられた歯車１９と噛み合う歯車２０を有し、図３に示すように搬送モータ１８を時計方向に回転することにより駆動ホイール１６を反時計方向に回転して搬送ベルト１５を回転させる。この搬送ベルト１５の外面には、印刷用紙のサイズ例えばＡ３サイズに応じて複数例えば２個の押出突起２１を有する。この２個の押出突起２１は、待機時に、いずれか一方が駆動ホイール１６の近傍の上部に配置され、他方は従動ホイール１７の近傍で下部に配置されている。この用紙搬送手段１４は搬送ベルト１５の上の部分を除いてカバーで覆われている。ガイド部１３は、２組の搬送ベルト１５よりプリンタ６の用紙排出口１２側にそれぞれ設けられ、用紙排出口１２側から搬送ベルト１５側に緩やかな昇りの傾斜面を有し、用紙排出口１２から排出される印刷用紙が各搬送ベルト１５に引っ掛かったり接触しないようになっている。
【００１６】
通路ユニット９は、図４の斜視図に示すように、内部に長方形断面の空洞を有し、円弧状に曲がって形成され、水平部の先端に、用紙搬送トレイ８の従動ホイール１７側に導通する用紙導入口２２を有する。この通路ユニット９の内部の内周面と外周面には、図５（ａ）の側面断面図と（ｂ）の正面断面図に示すように、印刷用紙の左右のブレを防止する複数のブレ防止突条２３が印刷用紙の送り方向に沿って設けられている。また、外周面に設けたブレ防止突条２３の用紙導入口２２の下端部に対応する位置には、水平方向に送られた印刷用紙を通路ユニット９の通路に倣って下向きに案内する誘導突起２４を有する。
【００１７】
側面垂直排紙ユニット１０は、図６の断面図に示すように、印刷用紙の通路内に用紙振分ガイド手段２５を有する。用紙振分ガイド手段２５は、図７の斜視図に示すように、振分ガイド２６と振分駆動部２７を有する。振分ガイド２６は、下側の幅が狭い中空の台形形状に形成され、上端部には用紙導入口２８を有し、下部には用紙案内口２９を有する。この振分ガイド２６の両側面の上部には円盤状の駆動伝達軸３０が設けられ、駆動伝達軸３０は、図８の正面断面図に示すように、側面垂直排紙ユニット１０の側壁に設けた案内孔に嵌合され、一方の駆動伝達軸３０は側面垂直排紙ユニット１０の一方の側壁の外部に設けた振分駆動部２７に連結されている。振分駆動部２７は振分モータ３１と歯車群３２を有し、振分モータ３１の回転を歯車群３２を介して駆動伝達軸３０に伝えて振分ガイド２６を首振りさせる。
【００１８】
垂直用紙収納ユニット１１は、図９（ａ）の斜視図と（ｂ）の正面図に示すように、一方の側面に印刷用紙を取り出す用紙取出口３３を有し、上面の両端部にはＯＡラック２の上段に設けたボード５に対する取付面３４を有する。この垂直用紙収納ユニット１１は内部が仕切板３５で複数区画例えば２区画の収納領域３６ａ，３６ｂに区分けされ、各収納領域３６ａ，３６ｂの内部底面３７は、図６の断面図に示すように、水平面に対して一定角度傾斜して形成されている。仕切板３５の収納領域３６ａ側の上部には、図６の断面図に示すように、収納領域３６ａの内部底面３７の傾斜方向と同じ方向の傾斜面を有する案内突起３８が設けられ、収納領域３６ｂの側面の上部にも案内突起３８を有する。
【００１９】
この排紙装置７の通路ユニット９と側面垂直排紙ユニット１０及び垂直用紙収納ユニット１１は、それぞれ連結部に設けたガイドピンとガイド孔を互いに嵌合させることにより位置決めして連結するように構成している。そして通路ユニット９と側面垂直排紙ユニット１０及び垂直用紙収納ユニット１１はプリンタ６を配置するＯＡラック２に固定したボード５に取付けられる。このボード５は、図１０（ａ）の平面図と（ｂ）の側面断面図に示すように、一方の端部にＯＡラック２に挟み込んで固定する固定部５１を有し、固定部５１をＯＡラック２の上段に挟み込み、複数のボルト５２でＯＡラック２に固定する。ボード５の他方の端部には、側面垂直排紙ユニット１０の下端部を挿入する開口５３を有し、開口５３の両側には垂直用紙収納ユニット１１の取付面３４に取付けたボルト３９を挿入する長溝を有する取付孔５４を有する。このボード５の取付孔５４に垂直用紙収納ユニット１１の取付面３４に設けたボルト３９を挿入し、ボルト３９を締め付けて垂直用紙収納ユニット１１をボード５の下面に取付ける。この垂直用紙収納ユニット１１を取付けたボード５の開口５３に側面垂直排紙ユニット１０の下端部を挿入して垂直用紙収納ユニット１１に連結し、側面垂直排紙ユニット１０の上部に通路ユニット９を連結し、通路ユニット９と側面垂直排紙ユニット１０及び垂直用紙収納ユニット１１をボード５に固定し、通路ユニット９の用紙導入口２２を用紙搬送トレイ８の排出部に接続する。
【００２０】
このＯＡユニット１のパソコン３で作成した文書や画像をプリンタ６で印刷用紙に印刷しては排紙装置７に排出して垂直用紙収納ユニット１１に収納するときの動作を説明する。
【００２１】
プリンタ６で画像等を印刷した印刷用紙は、図２に示すプリンタ６の用紙排出口１２から用紙搬送トレイ８に排出される。用紙搬送トレイ８に排出された印刷用紙はガイド部１３に沿って移動し２組の搬送ベルト１５の上部に送り出される。印刷用紙が２組の搬送ベルト１５の上部に送り出されたことを検出すると、用紙搬送トレイ８の搬送モータ１８を駆動して搬送ベルト１５を回転させる。この搬送ベルト１５の回転により、押出突起２１が印刷用紙の端部を押しながら移動し、印刷用紙をＯＡラック２の側方に設けた通路ユニット９の用紙導入口２２から通路ユニットの内部に送り出す。通路ユニット９に送り出された印刷用紙は、通路ユニット９の誘導突起２４により下向きに案内され、ブレ防止突条２３により左右のブレが生じることを防ぎながら側面垂直排紙ユニット１０に送られる。
【００２２】
側面垂直排紙ユニット１０に送られた印刷用紙は、振分ガイド２６により振分けられて垂直用紙収納ユニット１１の仕切板３５で区画された収納領域３６ａ，３６ｂのいずれかに振り分けられて収納される。この側面垂直排紙ユニット１０で垂直用紙収納ユニット１１に収納する印刷用紙を振り分けて誘導するとき、振分駆動部２７の振分モータ３１を駆動して、図１１（ａ）に示すように、振分ガイド２６を時計方向に回動すると、振分ガイド２６の用紙導入口２８から導入された印刷用紙４０は、振分ガイド２６の右内壁に沿って誘導され用紙案内口２９から垂直用紙収納ユニット１１の収納領域３６ａに導入される。この収納領域３６ａに入った印刷用紙４０は仕切板３５の案内突起３８に案内されて先端が収納領域３６ａの傾斜した内部底面３７の先端部に入り、後端は仕切板３５に押えられ一定角度傾いて収納される。したがって印刷用紙４０を連続して収納しても、その順番を乱すことなく印刷した順序で印刷用紙４０を垂直用紙収納ユニット１１に収納することができる。また、図１１（ａ）に示すように、振分ガイド２６を反時計方向に回動すると、振分ガイド２６の用紙導入口２８から導入された印刷用紙４０は、振分ガイド２６の左内壁に沿って誘導され用紙案内口２９から垂直用紙収納ユニット１１の収納領域３６ｂに導入される。また、図１１（ｃ）に示すように、垂直用紙収納ユニット１１の仕切板３５を取り外した場合は、振分ガイド２６を反時計方向に回動して、印刷用紙４０を収納領域３６ｂ側から順次収納する。
【００２３】
このようにプリンタ６で印刷した印刷用紙４０をＯＡラック２の側方に設けた垂直用紙収納ユニット１１に順次収納するから、パソコン３の操作者は椅子に座ったままで印刷した印刷用紙を取り出すことができ、利便性を向上することができる。
【００２４】
前記説明では垂直用紙収納ユニット１１に２つの収納領域３６ａ，３６ｂを設けた場合について説明したが、３つ又は４つ以上の収納領域に区分しても良い。このように収納領域を多くした場合、振分ガイド２６の隣接する収納領域間の振れ角αは、振分ガイド２６の最大振れ角をβ、収納領域３６の数をｎとすると、α＝β／ｎで得られる。このαの１／２により最も端部にある収納領域３６に対する中心角度が得られるから、角度α／２に順次角度αを加えることにより、各収納領域３６に印刷用紙４０を収納するときの振分ガイド２６の振れ角を制御することができる。
【００２５】
また、図１２に示すように、プリンタ６に複数段例えば２段の給紙トレイ６１を設けた場合、用紙搬送トレイ８の排出部と通路ユニット９の用紙導入口２２の高さが異なってくる。このような場合、通路ユニット９と側面垂直排紙ユニット１０の間に中間通路ユニット４２を連結すれば良い。
【００２６】
【発明の効果】
この発明は以上説明したように、画像形成装置の上部に配置された用紙搬送トレイで画像形成装置から排出された印刷用紙を画像形成装置の側方に搬送し、水平に搬送された印刷用紙の通紙方向を通路ユニットで下向きに変え、側面垂直排紙ユニットで振分けて垂直用紙収納ユニットに収納するようにしたから、印刷用紙を簡単に取り出すことができ、利便性を向上することができる。また、印刷した印刷用紙を画像形成装置の側方に垂直にして保存するから、省スペースを図ることができる。
【００２７】
また、用紙搬送トレイに、印刷用紙サイズに応じた間隔をおいて設けられた押出突起を有する２組の搬送ベルトより画像形成装置の用紙排出部側に、用紙排出部側から搬送ベルト側に緩やかな昇りの傾斜面を有するガイド部を設け、ガイド部で画像形成装置の用紙排出部から排出される印刷用紙を搬送ベルトの上部に誘導するようにしたから、印刷用紙を搬送ベルトに引っ掛けることなしに搬送ベルトの上部に誘導することができる。
【００２８】
この搬送ベルトの上部に誘導された印刷用紙を搬送ベルトに設けた押出突起で画像形成装置の側方に送り出すから、印脱装置を高速でかつ安定して送り出すことができる。
【００２９】
また、通路ユニットに印刷用紙の左右のブレを防止する複数のブレ防止突条と水平方向に送られた印刷用紙を下向きに案内する誘導突起を有するから、印刷用紙を位置ずれなしにかつ折り曲げたりしないで通紙方向を変更することができる。
【００３０】
さらに、側面垂直排紙ユニットに設けた振分ガイドを回動して印刷用紙を振り分けて垂直用紙収納ユニットの各収納領域に収納するから、画像等を印刷した印刷用紙が混在することを防ぐことができ、印刷用紙の管理を容易にすることができる。また、垂直用紙収納ユニットの各収納領域の内部底面を水平面に対して一定角度傾けることにより、収納された印刷用紙を一定角度傾けることができ、印刷用紙を安定して収納することができる。また、垂直用紙収納ユニットの収納領域を区分けする仕切板に、印刷用紙を一定角度傾けて誘導する案内突起を有することにより、印刷用紙を印刷した順番で収納することができる。
【００３１】
また、通路ユニットと側面垂直排紙ユニットの連結部及び側面垂直排紙ユニットと垂直用紙収納ユニットの連結部はそれぞれ着脱自在に構成され、垂直用紙収納ユニットの上面にはＯＡラック又はＯＡラックに設けたボードに対する取付部を有し、ＯＡラック又はボードに取付けた垂直用紙収納ユニットに側面垂直排紙ユニットと通路ユニットを順次連結することにより、印刷用紙の収納部と搬送経路を簡単に組み立てることができる。さらに、通路ユニットと側面垂直排紙ユニットの間に中間通路ユニットを設けることにより、印刷用紙の搬送経路を適宜変更することができ、各種のＯＡラックや画像形成装置に適用することができる。
【００３２】
この排紙装置を画像形成装置に設けることにより、操作者は椅子に座ったままで印刷した印刷用紙を取り出すことができ、利便性を向上することができる。
【図面の簡単な説明】
【図１】この発明のＯＡユニットの構成図である。
【図２】用紙搬送トレイの構成を示す斜視図である。
【図３】用紙搬送手段の構成図である。
【図４】通路ユニットの形状を示す斜視図である。
【図５】通路ユニットの構成を示す断面図である。
【図６】側面垂直排紙ユニットの構成を示す断面図である。
【図７】用紙振分ガイド手段の構成を示す斜視図である。
【図８】用紙振分ガイド手段の構成を示す断面図である。
【図９】垂直用紙収納ユニットの構成図である。
【図１０】垂直用紙収納ユニットを取付けるボードの構成図である。
【図１１】側面垂直排紙ユニットの振分け動作を示す断面図である。
【図１２】他のＯＡユニットの構成図である。
【符号の説明】
１；ＯＡユニット、２；ＯＡラック、３；パソコン、４；モニタ、
５；ボード、６；プリンタ、７；排紙装置、８；用紙搬送トレイ、
９；通路ユニット、１０；側面垂直排紙ユニット、
１１；垂直用紙収納ユニット。
【図１】
2004043130.tif 000003
【図２】
2004043130.tif 000004
【図３】
2004043130.tif 000005
【図４】
2004043130.tif 000006
【図５】
2004043130.tif 000007
【図６】
2004043130.tif 000008
【図７】
2004043130.tif 000009
【図８】
2004043130.tif 000010
【図９】
2004043130.tif 000011
【図１０】
2004043130.tif 000012
【図１１】
2004043130.tif 000013
【図１２】
2004043130.tif 000014